(57)【要約】【課題】複数の金属管を素早く伸長でき、聴診部位を照射できる聴診棒を提供する。【解決手段】聴診棒１０は、金属管１１〜１３を相互に連結した伸縮ロッド１とペン型の照明装置２を備える。伸縮ロッド１は、金属管１１〜１３が延びる方向に力を付勢する圧縮コイルばね１１ｓ・１２ｓと、金属管１１〜１３を相互に係止するストッパ部材１２ｃ・１３ｃを有する。ストッパ部材１２ｃ・１３ｃに設けた抜け止め片１２ｎ・１３ｎを押圧操作すると、金属管１１〜１３を収縮状態から伸長状態に素早く変化できる。又、聴診棒１０は、先頭の金属管１３に照明装置２を同軸上に設けているので、別途、照明装置を持参することなく、聴診部位又はその周囲を照明できる。【選択図】図４
2012208045.tif 000002
【特許請求の範囲】
【請求項１】
複数の金属管を軸方向に連設すると共に、末端側の前記金属管に対して先頭側の前記金属管を引き出し自在に相互に連結した伸縮ロッドと、
複数の前記金属管と同軸状に配置されるように、先頭の前記金属管に固定されたペン型の照明装置と、を備え、
前記伸縮ロッドは、
相互に連結する末端側の前記金属管と先頭側の前記金属管の間に配置され、末端側の前記金属管に対して先頭側の前記金属管を延びる方向に力を付勢する付勢手段と、
末端側の前記金属管に対して先頭側の前記金属管の一部又は略全てを収容するように、末端側の前記金属管に対して先頭側の前記金属管を係止する、前記付勢手段と同数のストッパ部材と、を有し、
前記照明装置は、光を出射できると共に、聴診部位に当接可能な聴診端子を先端部に有し、
末端の前記金属管は、前記聴診端子の振動が伝導される耳当て部を基端部に有し、
前記ストッパ部材は、先頭側の前記金属管から末端側の前記金属管に向けて外周方向に突出する、弾性変形可能な抜け止め片を有し、
前記金属管は、
前記抜け止め片が係止して、末端側の前記金属管と先頭側の前記金属管の収縮状態を維持する、末端側に位置する第１係止開口と、
前記抜け止め片が係止して、末端側の前記金属管と先頭側の前記金属管の伸長状態を維持する、先頭側に位置する第２係止開口と、を有する聴診棒。
【請求項２】
前記ストッパ部材は、先頭側の前記金属管から末端側の前記金属管に向けて外周方向に突出すると共に、末端側の前記金属管の端縁に当接する、弾性変形可能な戻り止め片を更に有する請求項１記載の聴診棒。
【請求項３】
先頭側の前記金属管は、その軸方向に沿って、外周面から内部に向けて窪んだ一つ以上の凹溝を含み、
末端側の前記金属管は、前記凹溝に嵌合するように、内部に向けて突出する回り止め凸部を含んでいる請求項１又は２記載の聴診棒。
【請求項４】
前記照明装置は、
前記聴診端子に対向するように配置された発光体と、
前記発光体に電力を供給する電池と、を内部に備え、
前記聴診端子は、光を透過可能な透明体からなる請求項１から３のいずれかに記載の聴診棒。
【請求項５】
前記照明装置は、前記発光体と前記電池を電気的に接続すると共に、外部から操作が可能なスイッチを更に備える請求項４記載の聴診棒。
【発明の詳細な説明】
【技術分野】
【０００１】
本発明は、聴診棒に関する。特に、聴診棒への直接伝導による固体（設備や機械）の振動を測定する聴診棒の構造に関する。
【背景技術】
【０００２】
例えば、火力発電所又は原子力発電所などの施設では、ポンプ、モータなどの流体機器又は回転機器が設置されて稼動している。そして、このような設備又は機器が安全に稼動することを確認するために、これらの施設では、定期的に巡回点検を実施している。
【０００３】
上記のような定期的な巡回点検では、聴診棒と呼ばれる道具を用いて、設備又は機器から発生する振動音を聴診し、異音の有無などを診断している。一般的に、聴診棒は、金属の細棒で構成されている。そして、聴診棒の先端部を設備や機械の被測定部位に接触し、聴診棒の基端部を測定者の耳にあてて、聴診棒への直接伝導により振動を測定している。
【０００４】
上記のような聴診棒としては、測定部位との密着性を高めるため、その先端部が面取りされ、かつ先端部の端面が粗面加工された聴診棒、又はその先端部が粗面体で形成された聴診棒が開示されている（例えば、特許文献１参照）。
【０００５】
又、上記のような聴診棒としては、現場での携帯に便利なように、同心状に嵌合した複数の金属管により伸縮性を有し、先頭の金属管の先端に接触金具を固定すると共に、末端の金属管の基端部に耳当て具を取り付け、かつ接触金具に着脱自在な安全キャップを被せる構成とした聴診棒が開示されている（例えば、特許文献２参照）。
【先行技術文献】
【特許文献】
【０００６】
【特許文献１】特開２００６−０３８７３５号公報
【特許文献２】実開昭５８−０６０２４２号公報
【発明の概要】
【発明が解決しようとする課題】
【０００７】
聴診棒は、いわゆる通常タイプと伸縮タイプの二種類が市販されている。一般に、通常タイプの聴診棒は、特許文献１にも開示されているように、長尺の円柱状金属棒で構成している。一方、伸縮タイプの聴診棒は、特許文献２にも開示されているように、同心状に嵌合が可能な複数の金属管で構成している。
【０００８】
通常タイプの聴診棒は、構成が簡易であるが、長尺の通常タイプの聴診棒は、持ち運びに不便であることから、巡回点検などでは、伸縮タイプの聴診棒が好まれている。一方、伸縮タイプの聴診棒は、携帯には便利であるが、複数の金属管を伸長させることが面倒であるという、問題がある。複数の金属管を素早く伸長できる、使いやすい伸縮タイプの聴診棒が求められている。
【０００９】
又、上述した巡回点検では、聴診棒を携帯する他に、聴診部位又はその周囲を明るく照らすために、懐中電灯などのライトを携帯しているが、聴診棒とライトの双方を持ち運ぶことは不便であるという問題がある。又、聴診棒とライトの双方を把持して、聴診することは不便であるという問題がある。聴診機能を損なうことなく、聴診部位に光を照射可能な聴診棒が実現できれば便利である。そして、以上のことが本発明の課題といってよい。
【００１０】
本発明は、このような課題に鑑みてなされたものであり、複数の金属管を素早く伸長できると共に、聴診機能を損なうことなく、聴診部位を照射可能な使いやすい伸縮タイプの聴診棒を提供することを目的とする。
【課題を解決するための手段】
【００１１】
本発明者らは、複数の金属管を伸縮自在に連設した伸縮タイプの聴診棒において、少なくとも末端の金属管に設けたストッパ部材を操作すると、末端の金属管に対して先頭の金属管が突出して、これらの金属管が伸長状態を維持すると共に、先頭の金属管にペン型の照明装置を同軸上に設けて、この照明装置が聴診部位又はその周囲を照明することにより、これらの課題が解決可能であると考え、これに基づいて、以下のような新たな伸縮タイプの聴診棒を発明するに至った。
【００１２】
（１）本発明による聴診棒は、複数の金属管を軸方向に連設すると共に、末端側の前記金属管に対して先頭側の前記金属管を引き出し自在に相互に連結した伸縮ロッドと、複数の前記金属管と同軸状に配置されるように、先頭の前記金属管に固定されたペン型の照明装置と、を備え、前記伸縮ロッドは、相互に連結する末端側の前記金属管と先頭側の前記金属管の間に配置され、末端側の前記金属管に対して先頭側の前記金属管を延びる方向に力を付勢する付勢手段と、末端側の前記金属管に対して先頭側の前記金属管の一部又は略全てを収容するように、末端側の前記金属管に対して先頭側の前記金属管を係止する、前記付勢手段と同数のストッパ部材と、を有し、前記照明装置は、光を出射できると共に、聴診部位に当接可能な聴診端子を先端部に有し、末端の前記金属管は、前記聴診端子の振動が伝導される耳当て部を基端部に有し、前記ストッパ部材は、先頭側の前記金属管から末端側の前記金属管に向けて外周方向に突出する、弾性変形可能な抜け止め片を有し、前記金属管は、前記抜け止め片が係止して、末端側の前記金属管と先頭側の前記金属管の収縮状態を維持する、末端側に位置する第１係止開口と、前記抜け止め片が係止して、末端側の前記金属管と先頭側の前記金属管の伸長状態を維持する、先頭側に位置する第２係止開口と、を有する。
【００１３】
（２）前記ストッパ部材は、先頭側の前記金属管から末端側の前記金属管に向けて外周方向に突出すると共に、末端側の前記金属管の端縁に当接する、弾性変形可能な戻り止め片を更に有することが好ましい。
【００１４】
（３）先頭側の前記金属管は、その軸方向に沿って、外周面から内部に向けて窪んだ一つ以上の凹溝を含み、末端側の前記金属管は、前記凹溝に嵌合するように、内部に向けて突出する回り止め凸部を含んでいることが好ましい。
【００１５】
（４）前記照明装置は、前記聴診端子に対向するように配置された発光体と、前記発光体に電力を供給する電池と、を内部に備え、前記聴診端子は、光を透過可能な透明体からなることが好ましい。
【００１６】
（５）前記照明装置は、前記発光体と前記電池を電気的に接続すると共に、外部から操作が可能なスイッチを更に備えることが好ましい。
【発明の効果】
【００１７】
本発明による聴診棒は、少なくとも末端の金属管に設けたストッパ部材を操作すると、末端の金属管に対して先頭の金属管が突出して、これらの金属管が伸長状態を維持するので、操作が容易であり、複数の金属管を素早く伸長できる。
【００１８】
又、本発明による聴診棒は、先頭の金属管にペン型の照明装置を同軸上に設けているので、別途、照明装置を持参することなく、聴診部位又はその周囲を照明できる。
【図面の簡単な説明】
【００１９】
【図１】本発明の一実施形態による聴診棒の構成を示す斜視図であり、図１（Ａ）は、聴診棒が伸長した状態図、図１（Ｂ）は、聴診棒が収縮した状態図である。
【図２】前記実施形態による聴診棒に備わる照明装置の構成を示す図であり、図２（Ａ）は、照明装置の縦断面図、図２（Ｂ）は、図２（Ａ）の右側面図である。
【図３】前記実施形態による聴診棒に備わる照明装置の斜視分解組立図である。
【図４】前記実施形態による聴診棒に備わる伸縮ロッドの構成を示す図であり、図４（Ａ）は、伸縮ロッドの末端部の縦断面図、図４（Ｂ）は、伸縮ロッドの中間部の縦断面図、図４（Ｃ）は、伸縮ロッドの先頭部の縦断面図である。
【図５】前記実施形態による聴診棒に備わる伸縮ロッドの構成を示す正面図であり、伸縮ロッドが収縮した状態図である。
【図６】前記実施形態による聴診棒に備わる伸縮ロッドの構成を示す斜視分解組立図であり、末端の金属管と中間の金属管を対向配置した状態図である。
【発明を実施するための形態】
【００２０】
以下、図面を参照して本発明を実施するための形態を説明する。
［聴診棒の構成］
最初に、本発明の一実施形態による聴診棒の構成を説明する。図１は、本発明の一実施形態による聴診棒の構成を示す斜視図であり、図１（Ａ）は、聴診棒が伸長した状態図、図１（Ｂ）は、聴診棒が収縮した状態図である。
【００２１】
図２は、前記実施形態による聴診棒に備わる照明装置の構成を示す図であり、図２（Ａ）は、照明装置の縦断面図、図２（Ｂ）は、図２（Ａ）の右側面図である。図３は、前記実施形態による枠組足場に備わる一方の伸縮ロッドを示す正面図であり、図３（Ａ）は、前記実施形態による聴診棒に備わる照明装置の斜視分解組立図である。
【００２２】
図４は、前記実施形態による聴診棒に備わる伸縮ロッドの構成を示す図であり、図４（Ａ）は、伸縮ロッドの末端部の縦断面図、図４（Ｂ）は、伸縮ロッドの中間部の縦断面図、図４（Ｃ）は、伸縮ロッドの先頭部の縦断面図である。
【００２３】
図５は、前記実施形態による聴診棒に備わる伸縮ロッドの構成を示す正面図であり、伸縮ロッドが収縮した状態図である。図６は、前記実施形態による聴診棒に備わる伸縮ロッドの構成を示す斜視分解組立図であり、末端の金属管と中間の金属管を対向配置した状態図である。
【００２４】
（聴診棒の全体構成）
図１を参照すると、本発明の一実施形態による聴診棒１０は、伸縮ロッド１とペン型の照明装置２を備えている。伸縮ロッド１は、末端の金属管１１、中間の金属管１２、及び先頭の金属管１３を軸方向に連設している。伸縮ロッド１は、末端の金属管１１に対して、先頭の金属管１３に向けて、これらの金属管１１・１２・１３を引き出し自在に相互に連結している。
【００２５】
図１又は図２及び図４を参照すると、照明装置２は、先頭の金属管１３に着脱自在に固定されている。そして、照明装置２は、複数の金属管１１・１２・１３と同軸状に配置されている。照明装置２は、円錐体状の聴診端子２ａを先端部に有している。聴診端子２ａは、光を出射できると共に、その先端部を図示しない聴診部位に当接できる。
【００２６】
一方、図１又は図４及び図５を参照すると、末端の金属管１１は、キャップ１１ａを基端部に取り付けている。そして、キャップ１１ａの端面は、聴診端子の振動が伝導される耳当て部を構成している。
【００２７】
（照明装置の構成）
次に、照明装置２の構成を説明する。図２又は図３を参照すると、照明装置２は、円筒状のフレーム２ｆ、発光体２ｒ、及び電池２ｂを備えている。フレーム２ｆは、照明装置２の外殻を構成している。フレーム２ｆは、雄ねじ部２１ｆを基端部に形成している。雄ねじ部２１ｆは、先頭の金属管１３の先端部に形成した雌ねじ部１３ｇに締結できる。つまり、照明装置２は、先頭の金属管１３に着脱できる。又、フレーム２ｆは、雄ねじ部２２ｆを先端部に形成している。雄ねじ部２２ｆは、キャップ２ｃの基端部に形成した雌ねじ部２１ｃに締結できる。
【００２８】
図２又は図３を参照すると、キャップ２ｃは、貫通穴２１ｈを中心部に設けている。キャップ２ｃをフレーム２ｆの先端部に締結すると、聴診端子２ａの先端部側を貫通穴２１ｈに挿通でき、聴診端子２ａの先端部側をキャップ２ｃから突出できる。聴診端子２ａは、光を透過可能な透明体からなり、透明なガラス体、又は透明な硬質合成樹脂で形成されることが好ましい。
【００２９】
図２又は図３を参照すると、発光体２ｒは、ＬＥＤからなることが好ましく、聴診端子２ａに対向するように、フレーム２ｆの内部に配置されている。電池２ｂは、発光体２ｒに電力を供給できる。図示された電池２ｂは、市販されている筒型のリチウム電池を用いている。
【００３０】
図２又は図３を参照すると、照明装置２は、円柱状の絶縁体２ｄを備えている。絶縁体２ｄは、フレーム２ｆの内部に配置されている。図２に示されるように、絶縁体２ｄは、段付きの取り付け穴を中心部に開口しており、この取り付け穴に電池２ｂを挿入すると、電池２ｂを保持できる。又、照明装置２を先頭の金属管１３から取り外すと、電池２ｂを交換できる。
【００３１】
図２又は図３を参照すると、発光体２ｒは、長いリード端子ｒ１と短いリード端子ｒ２を有している。リード端子ｒ１は、絶縁性の袴部材２１ｒを貫通して、絶縁体２ｄの中心開口に突出している。そして、リード端子ｒ１を電池２ｂの先端部に突出したピン状のマイナス（−）端子２１ｂに接触している。
【００３２】
一方、図２又は図３を参照すると、リード端子ｒ２は、袴部材２１ｒを貫通して、スイッチ２ｓに電気的に接続している。スイッチ２ｓは、帯板状の電極２ｅに電気的に接続している。電極２ｅは、絶縁体２ｄに保持されていると共に、絶縁体２ｄの取り付け穴の内壁に露出している。そして、電極２ｅは、電池２ｂの外周に形成されたプラス端子２２ｂに接触できる。つまり、リード端子ｒ２は、スイッチ２ｓを介して、電池２ｂのプラス端子２２ｂに電気的に接続できる。
【００３３】
図２又は図３を参照すると、照明装置２は、上述したように、発光体２ｒと電池２ｂを電気的に接続するスイッチ２ｓを更に備えている。スイッチ２ｓは、例えば、超小型のディプスイッチを用いることができる。
【００３４】
図３に示されるように、スイッチ２ｓは、フレーム２ｆの外周に設けた長穴２３ｆから挿入して、スイッチ２ｓの接続端子をリード端子ｒ２及び電極２ｅに実装（はんだ接合）できる。そして、スイッチ２ｓが実装された後に、長穴２３ｆが絶縁性の接着剤で充填されることが好ましい。
【００３５】
図２又は図３を参照すると、スイッチ２ｓは、外部から操作が可能なスライドボタン２１ｓを有している。スライドボタン２１ｓを一方の方向に移動すると、発光体２ｒと電池２ｂを接続でき、発光体２ｒが点灯して、聴診端子２ａから光を出射できる。スライドボタン２１ｓを他方の方向に移動すると、発光体２ｒと電池２ｂが電気的に断絶され、発光体２ｒを消灯できる。
【００３６】
（伸縮ロッドの構成）
次に、伸縮ロッド１の構成を説明する。図４を参照すると、伸縮ロッド１は、付勢手段となる圧縮コイルばね１１ｓと圧縮コイルばね１２ｓを備えている。圧縮コイルばね１１ｓは、相互に連結する末端の金属管１１と中間の金属管１２の間に配置されている。圧縮コイルばね１１ｓは、末端の金属管１１に対して、中間の金属管１２を延びる方向に力を付勢している。
【００３７】
図４を参照すると、実態として、圧縮コイルばね１１ｓは、末端の金属管１１の内部に収容されている。又、中間の金属管１２の基端部には、栓１２ｐを取り付けている。圧縮コイルばね１１ｓは、その一端部が栓１２ｐに当接し、その他端部がキャップ１１ａに当接するように配置されている。そして、中間の金属管１２を末端の金属管１１の内部に向かって移動すると、圧縮コイルばね１１ｓが圧縮されて、末端の金属管１１に対して、中間の金属管１２を突出させる力を蓄勢できる。
【００３８】
又、図４を参照すると、圧縮コイルばね１２ｓは、相互に連結する中間の金属管１２と先頭の金属管１３の間に配置されている。圧縮コイルばね１２ｓは、中間の金属管１２に対して、先頭の金属管１３を延びる方向に力を付勢している。
【００３９】
図４を参照すると、実態として、圧縮コイルばね１２ｓは、中間の金属管１２の内部に収容されている。又、先頭の金属管１３の基端部には、栓１３ｐを取り付けている。圧縮コイルばね１２ｓは、その一端部が栓１３ｐに当接し、その他端部が後述するストッパ部材１２ｃに当接するように配置されている。そして、先頭の金属管１３を中間の金属管１２の内部に向かって移動すると、圧縮コイルばね１２ｓが圧縮されて、中間の金属管１２に対して、先頭の金属管１３を突出させる力を蓄勢できる。なお、図４では、一部の構成部品を重複して記載している。
【００４０】
図４を参照すると、伸縮ロッド１は、ストッパ部材１２ｃとストッパ部材１３ｃを備えている。ストッパ部材１２ｃは、中間の金属管１２の基端部側に配置されている。ストッパ部材１２ｃは、末端の金属管１１に対して中間の金属管１２の一部又は略全てを収容するように、末端の金属管１１に対して中間の金属管１２を係止できる（図１又は図５参照）。
【００４１】
又、図４を参照すると、ストッパ部材１３ｃは、先頭の金属管１３の基端部側に配置されている。ストッパ部材１３ｃは、中間の金属管１２に対して先頭の金属管１３の一部又は略全てを収容するように、中間の金属管１２に対して先頭の金属管１３を係止できる（図１又は図５参照）。
【００４２】
図４を参照すると、ストッパ部材１２ｃは、一方の弾性アーム１２１と他方の剛性アーム１２２が結合して、弓形に屈曲した板ばねからなり、中間の金属管１２の内部に収容されている。ストッパ部材１２ｃは、一方の弾性アーム１２１の端部に微小突起１２ｔを有している。微小突起１２ｔは、中間の金属管１２の内壁に係止されている。
【００４３】
又、図４を参照すると、ストッパ部材１２ｃは、他方の剛性アーム１２２の端部に抜け止め片１２ｎを有している。抜け止め片１２ｎは、中間の金属管１２から末端の金属管１１に向けて、外周方向に突出している。
【００４４】
図４を参照すると、ストッパ部材１２ｃは、中間の金属管１２の内壁に当接した支点部１２ｆを抜け止め片１２ｎの反対側に形成している。抜け止め片１２ｎを押圧すると、一方の弾性アーム１２１には、支点部１２ｆを支点とする曲げ応力が発生し、抜け止め片１２ｎが弾性復帰する力を蓄勢する。
【００４５】
図４を参照すると、末端の金属管１１は、末端側に位置する第１係止開口１１ｊと先頭側に位置する第２係止開口１１ｋを開口している。そして、抜け止め片１２ｎが第１係止開口１１ｊに係止すると、末端の金属管１１と中間の金属管１２の収縮状態を維持することができる。一方、抜け止め片１２ｎが第２係止開口１１ｋに係止すると（図６参照）、末端の金属管１１と中間の金属管１２の伸長状態を維持することができる。
【００４６】
又、図４を参照すると、ストッパ部材１３ｃは、先頭の金属管１３の基端部側に配置されている。ストッパ部材１３ｃは、中間の金属管１２に対して末端の金属管１１の一部又は略全てを収容するように、末端の金属管１１に対して中間の金属管１２を係止できる（図１又は図５参照）。
【００４７】
又、図４を参照すると、ストッパ部材１３ｃは、先頭の金属管１３の基端部側に配置されている。ストッパ部材１３ｃは、中間の金属管１２に対して先頭の金属管１３の一部又は略全てを収容するように、中間の金属管１２に対して先頭の金属管１３を係止できる（図１又は図５参照）。
【００４８】
図４を参照すると、ストッパ部材１３ｃは、一方の弾性アーム１３１と他方の剛性アーム１３２が結合して、弓形に屈曲した板ばねからなり、先頭の金属管１３の内部に収容されている。ストッパ部材１３ｃは、一方の弾性アーム１３１の端部に微小突起１３ｔを有している。微小突起１３ｔは、先頭の金属管１３の内壁に係止されている。
【００４９】
又、図４を参照すると、ストッパ部材１３ｃは、他方の剛性アーム１３２の端部に抜け止め片１３ｎを有している。抜け止め片１３ｎは、先頭の金属管１３から中間の金属管１２に向けて、外周方向に突出している。なお、ストッパ部材１３ｃの抜け止め片１３ｎとストッパ部材１２ｃの抜け止め片１２ｎとは、相反する向きに突出している（図５参照）。
【００５０】
図４を参照すると、ストッパ部材１３ｃは、先頭の金属管１３の内壁に当接した支点部１３ｆを抜け止め片１３ｎの反対側に形成している。抜け止め片１３ｎを押圧すると、一方の弾性アーム１３１には、支点部１３ｆを支点とする曲げ応力が発生し、抜け止め片１３ｎが弾性復帰する力を蓄勢する。
【００５１】
図４を参照すると、中間の金属管１２は、末端側に位置する第１係止開口１２ｊと先頭側に位置する第２係止開口１２ｋを開口している。そして、抜け止め片１３ｎが第１係止開口１２ｊに係止すると、中間の金属管１２と先頭の金属管１３の収縮状態を維持することができる。一方、抜け止め片１３ｎが第２係止開口１２ｋに係止すると、中間の金属管１２と先頭の金属管１３の伸長状態を維持することができる。
【００５２】
図４を参照すると、ストッパ部材１２ｃは、抜け止め片１２ｎに隣接した鉤状の戻り止め片１２ｍを更に有している。戻り止め片１２ｍは、中間の金属管１２から末端の金属管１１に向けて、外周方向に突出している。そして、戻り止め片１２ｍが中間の金属管１２から突出した状態では、戻り止め片１２ｍが末端の金属管１１の端縁に当接して、中間の金属管１２が末端の金属管１１に向けて移動することを困難にしている。
【００５３】
図４を参照すると、ストッパ部材１３ｃは、抜け止め片１３ｎに隣接した鉤状の戻り止め片１３ｍを更に有している。戻り止め片１３ｍは、先頭の金属管１３から中間の金属管１２に向けて、外周方向に突出している。そして、戻り止め片１３ｍが先頭の金属管１３から突出した状態では、戻り止め片１３ｍが中間の金属管１２の端縁に当接して、先頭の金属管１３が中間の金属管１２に向けて移動することを困難にしている。
【００５４】
図６を参照すると、中間の金属管１２は、その軸方向に沿って、外周面から内部に向けて窪んだ一対の凹溝１２ｄ・１２ｄを形成している。一方、末端の金属管１１は、その軸方向に沿って、内部に向けて突出した一対の回り止め凸部１１ｅ・１１ｅを形成している。
【００５５】
図６を参照すると、一対の凹溝１２ｄ・１２ｄは、スライド自在に一対の回り止め凸部１１ｅ・１１ｅと嵌合しているが、末端の金属管１１に対して、中間の金属管１２は、円周方向に回転することが拘束されている。なお、先頭の金属管１３と中間の金属管１２とは、上記と同様に構成されており、中間の金属管１２に対して、先頭の金属管１３は、円周方向に回転することが拘束されている。
【００５６】
［聴診棒の作用］
次に、実施形態による聴診棒１０の構成を補足しながら、聴診棒１０の作用及び効果を説明する。
【００５７】
図１（Ｂ）又は図５に示すように、実施形態による聴診棒１０は、現場での携帯に便利なように、通常、複数の金属管１１・１２・１３が収縮された状態で保持されている。末端の金属管１１の外周から突出した抜け止め片１２ｎを押圧操作すると、末端の金属管１１と中間の金属管１２との係合が解除されて、圧縮コイルばね１１ｓの付勢力により、末端の金属管１１に対して中間の金属管１２を突出できる（図４参照）。そして、抜け止め片１２ｎの先端部が末端の金属管１１の内壁に摺動して、第２係止開口１１ｋに至ると、抜け止め片１２ｎが弾性復帰して、第２係止開口１１ｋに係止する。これにより、末端の金属管１１と中間の金属管１２の伸長状態を維持できる（図４参照）。
【００５８】
次に、図４を参照して、第１係止開口１２ｊに係止した抜け止め片１３ｎを押圧操作すると、中間の金属管１２と先頭の金属管１３との係合が解除されて、圧縮コイルばね１２ｓの付勢力により、中間の金属管１２に対して先頭の金属管１３を突出できる。そして、抜け止め片１３ｎの先端部が中間の金属管１２の内壁に摺動して、第２係止開口１２ｋに至ると、抜け止め片１３ｎが弾性復帰して、第２係止開口１１ｋに係止する。これにより、先頭の金属管１３との伸長状態を維持できる（図１（Ａ）参照）。
【００５９】
図１（Ａ）を参照すると、実施形態による聴診棒１０は、複数の金属管１１・１２・１３が伸長された状態で保持されているので、測定者から離れた被測定部位を聴診できて便利である。そして、聴診端子２ａの先端を聴診部位（図示せず）に当接し、聴診端子２ａの振動が伝導されるキャップ１１ａの端面に耳を当てて、聴診できる。
【００６０】
図１（Ａ）を参照すると、聴診端子２ａの先端を聴診部位（図示せず）に当接すると、複数の金属管１１・１２・１３には、互いに収縮する力が軸方向に働くことがある。この場合、図４を参照すると、戻り止め片１２ｍが末端の金属管１１の端縁に当接していると共に、戻り止め片１３ｍが中間の金属管１２の端縁に当接しているので、複数の金属管１１・１２・１３が互いに収縮することが防止される。
【００６１】
又、図１から図３を参照すると、実施形態による聴診棒１０は、先頭の金属管１３にペン型の照明装置２を同軸上に設けているので、聴診部位又はその周囲を明るく照らすことができる。この場合、スライドボタン２１ｓを操作して、発光体２ｒを点灯又は消灯できる。
【００６２】
次に、伸縮ロッド１の復帰動作を説明する。図４を参照して、第２係止開口１２ｋに係止した抜け止め片１３ｎを押圧操作すると共に、先頭の金属管１３を中間の金属管１２に向かって押し込むと、抜け止め片１３ｎ及び戻り止め片１３ｍが先頭の金属管１３の内部に没入して、先頭の金属管１３を中間の金属管１２に収容できる。
【００６３】
図４を参照して、圧縮コイルばね１２ｓの付勢力に抗して、先頭の金属管１３を中間の金属管１２の内部に移動すると、抜け止め片１３ｎが第１係止開口１２ｊに突出して、先頭の金属管１３と中間の金属管１２との収縮状態を維持できる。
【００６４】
続いて、図４を参照して、第２係止開口１１ｋに係止した抜け止め片１２ｎを押圧操作すると共に、中間の金属管１２を末端の金属管１１に向かって押し込むと、抜け止め片１２ｎ及び戻り止め片１２ｍが中間の金属管１２の内部に没入して、中間の金属管１２を末端の金属管１１に収容できる。
【００６５】
図４を参照して、圧縮コイルばね１１ｓの付勢力に抗して、中間の金属管１２を末端の金属管１１の内部に移動すると、抜け止め片１２ｎが第１係止開口１１ｊに突出して、中間の金属管１２と末端の金属管１１との収縮状態を維持できる。そして、図１（Ｂ）又は図５に示すように、伸縮ロッド１は、複数の金属管１１・１２・１３の収縮状態が維持される。
【００６６】
このように、実施形態による聴診棒１０は、抜け止め片１２ｎと抜け止め片１３ｎを押圧操作すると、末端の金属管１１に対して先頭の金属管１３が突出して、これらの金属管１１・１２・１３が伸長状態を維持するので、操作が容易であり、複数の金属管１１・１２・１３を素早く伸長できる。
【００６７】
又、実施形態による聴診棒１０は、先頭の金属管１３にペン型の照明装置２を同軸上に設けているので、別途、照明装置を持参することなく、聴診部位又はその周囲を照明できる。
【００６８】
実施形態による伸縮ロッド１は、三つの金属管を引き出し自在に相互に連結したが、相互に連結する金属管は、二つでもよく、四つでもよく、多様な変形例を考えることができる。
【００６９】
又、実施形態による照明装置２は、発光体２ｒとしてＬＥＤを用い、電池２ｂとして筒型のリチウム電池を用いる実施例を開示したが、これらに限定されない。発光体には、小型の電球を用いてもよく、電池には、市販の単四の乾電池を用いてもよく、単五の乾電池を二つ直列接続してもよい。
【符号の説明】
【００７０】
１  伸縮ロッド
２  照明装置
２ａ  聴診端子
１０  聴診棒
１１  金属管（末端の金属管）
１１ａ  キャップ（耳当て部）
１１ｊ・１２ｊ  第１係止開口
１１ｋ・１２ｋ  第２係止開口
１１ｓ・１２ｓ  圧縮コイルばね（付勢手段）
１２  金属管（中間の金属管）
１２ｃ・１３ｃ  ストッパ部材
１２ｎ・１３ｎ  抜け止め片
１３  金属管（先頭の金属管）
【図１】
2012208045.tif 000003
【図２】
2012208045.tif 000004
【図３】
2012208045.tif 000005
【図４】
2012208045.tif 000006
【図５】
2012208045.tif 000007
【図６】
2012208045.tif 000008